(57)【特許請求の範囲】
【請求項１】
端末への発呼要求があった旨を表す着信履歴情報および、該発呼要求があった場合に、該端末が有効状態か無効状態かを識別する識別子を該端末の識別情報と関連づけて記憶する記憶部と、
該端末が無効状態から有効状態になった場合に、あるいは、該端末からの着信履歴情報の提供要求時に、該端末から該端末を識別する識別情報を受信する受信部と、
前記受信部で受信された前記識別情報に関連する前記着信履歴情報および前記識別子を前記記憶部から取得する取得部と、
前記取得部により取得された前記着信履歴情報および前記識別子を該端末へ送信する送信部と、
を備える電話の加入者管理装置。
【請求項２】
請求項１において、
前記取得部は、最新の履歴情報から順に新しいもののうち、所定件数の前記着信履歴情報および前記識別子を取得する電話の加入者管理装置。
【請求項３】
請求項１または請求項２において、
前記送信部が前記着端末に通知する前記着信履歴情報には、留守番メッセージが有るかどうかを示す情報を含む電話の加入者管理装置。
【請求項４】
請求項１において、
前記着端末が無効で、着信が失敗したことを前記発端末に通知する際、前記着端末が有効になったときに前記着端末のユーザが前記発端末からの着信を知ることができる旨の情報を、前記発端末に通知する手段を有する電話の加入者管理装置。
【請求項５】
加入者管理装置から送られてくる自機に発呼要求があった旨を表す着信履歴情報および、自機に発呼要求があったときに自機が有効状態であったか無効状態であったかを識別する識別子を記憶する記憶部と、
着信を受け付けることができない無効の状態から、通信可能な有効の状態になった後に、あるいは自機からの要求に応じて、前記加入者管理装置から送られてくる前記着信履歴情報と前記識別子とを受信して前記記憶部に記憶する手段と、
前記記憶した前記着信履歴情報および前記識別子に応じた情報を使用者に通知する手段と、
を備える電話端末。
【請求項６】
請求項５において、
前記記憶する手段は、前記加入者管理装置から送られてくる、最新の履歴情報から順に新しいもののうち所定件数分の前記着信履歴情報および前記識別子を受信して前記記憶部に記憶する電話端末。
【請求項７】
請求項５において、
前記使用者への通知には、発信者からの留守録メッセージの有無を含む電話端末。
【請求項８】
端末への発呼要求があった旨を表す着信履歴情報および、該発呼要求があった場合に、該端末が有効状態か無効状態かを識別する識別子を該端末の識別情報と関連づけて記憶する記憶部と、
該端末が無効状態から有効状態になった場合に、あるいは、該端末からの着信履歴情報の提供要求時に、該端末から該端末を識別する識別情報を受信する受信部と、
前記受信部で受信された前記識別情報に関連する前記着信履歴情報および前記識別子を前記記憶部から取得する取得部と、
前記取得部により取得された前記着信履歴情報および前記識別子を該端末へ送信する送信部と、
を備える電話の加入者管理装置と、
前記加入者管理装置から送られてくる自機に発呼要求があった旨を表す着信履歴情報および、自機に発呼要求があったときに自機が有効状態であったか無効状態であったか識別する識別子を記憶する記憶部と、
着信を受け付けることができない無効の状態から、通信可能な有効の状態になった後に、あるいは自機からの要求に応じて、前記加入者管理装置から送られてくる前記着信履歴情報と前記識別子とを受信して前記記憶部に記憶する手段と、
前記記憶した前記着信履歴情報および前記識別子に応じた情報を使用者に通知する手段と、
を備える電話端末とからなる通信システム。
【請求項９】
請求項８において、
前記加入者管理装置の前記取得手段は、最新の履歴情報から順に新しいもののうち、所定件数の前記着信履歴情報および前記識別子を取得するものであり、
前記電話端末の前記記憶する手段は、前記加入者管理装置から送られてくる、最新の履歴情報から順に新しいもののうち所定件数分の前記着信履歴情報および前記識別子を受信して前記記憶部に記憶する通信システム。
【請求項１０】
端末への発呼要求があった旨を表す着信履歴情報および、該発呼要求があった場合に、該端末が有効状態か無効状態かを識別する識別子を該端末の識別情報と関連づけて記憶部に記憶する記憶工程と、
該端末が無効状態から有効状態になった場合に、あるいは、該端末からの着信履歴情報の提供要求時に、該端末から該端末を識別する識別情報を受信する受信工程と、
前記受信工程で受信した前記識別情報に関連する前記着信履歴情報および前記識別子を前記記憶部から取得する取得工程と、
前記取得工程で取得した前記着信履歴情報および前記識別子を該端末へ送信する送信工程と、
を備える着信履歴情報の管理方法。
【請求項１１】
請求項１０において、
前記取得工程においては、最新の履歴情報から順に新しいもののうち、所定件数の前記着信履歴情報および前記識別子を取得する着信履歴情報の管理方法。
【請求項１２】
加入者管理装置から送られてくる自機に発呼要求があった旨を表す着信履歴情報および、自機に発呼要求があったときに自機が有効状態であったか無効状態であったか識別する識別子を記憶する記憶部に、着信を受け付けることができない無効の状態から、通信可能な有効の状態になった後に、あるいは、自機からの要求に応じて、前記加入者管理装置から送られてくる前記着信履歴情報と前記識別子とを受信して前記記憶部に記憶する工程と、
前記記憶した前記着信履歴情報および前記識別子に応じた情報を使用者に通知する工程と、
を備える電話端末における着信履歴情報の管理方法。
【請求項１３】
請求項１２において、
前記記憶する工程においては、前記加入者管理装置から送られてくる、最新の履歴情報から順に新しいもののうち所定件数分の前記着信履歴情報および前記識別子を受信して前記記憶部に記憶する電話端末における着信履歴情報の管理方法。
【発明の詳細な説明】
【０００１】
【発明の属する技術分野】
この発明は、呼設定履歴を管理する手段を有する加入者管理装置、および着信履歴を管理する手段を有する電話端末、これらの装置からなる通信システム及び着信履歴情報の管理方法に関する。
【０００２】
【従来の技術】
携帯電話端末をはじめとする各種の電話端末が広く利用されるようになってきている。そして、それらの端末で、発信履歴や着信履歴を管理することが当り前の機能となりつつある。
【０００３】
しかし、発呼による呼設定は必ず成功するわけではなく、網の点検整備や、通信量増大による通信制限、また家庭電話端末を一時的にオフラインにしたり、特に、無線系の携帯型の電話端末ではサービスエリアから外れるいわゆる圏外の状態や電源オフなどが原因で、呼設定が失敗することもある。
【０００４】
現在の技術では呼設定が失敗した際、着端末のユーザ（以下、着ユーザという）が、そのことを簡単に知る手段がない。もっとも、無線電話網を管理する装置側で用意される留守番電話サービスを用いれば、この問題は軽減できる。
【０００５】
すなわち、留守番電話サービスでは、無線電話端末が電源がオフである、あるいは圏外である時にあった着信を、無線電話網の加入者管理装置が受け、留守番応答メッセージを発信者に返す。発信者は、この留守番応答メッセージの案内に従い、必要に応じて留守中の着ユーザに対するメッセージ（以下、留守録メッセージという）を残すようにする。加入者管理装置は、この留守録メッセージを記憶部に保存する。
【０００６】
そして、加入者管理装置は、着ユーザから留守録メッセージの取得要求があったときに、その要求してきた無線電話端末に発信者が残した留守録メッセージを送るようにする。したがって、着ユーザは、その留守録メッセージにより、無線電話端末が電源がオフである、あるいは圏外である時に到来した着信を、知ることができる。
【０００７】
【発明が解決しようとする課題】
しかしながら、上述の留守番電話サービスの場合には、全ての発信者が留守録メッセージを残すわけではない。そして、留守録メッセージを残さなかった発信者の着信については、それが有ったことを知る手段は、現状では存在しない。
【０００８】
また、留守番電話サービスの場合には、加入者管理装置に、留守録メッセージの取得要求を送り、その留守録メッセージを再生しなければ、誰からの着信で有るかを知ることができない。また、相手の電話番号も、留守録メッセージに含められていないときには、判らない場合もある。
【０００９】
このことは、無線系の携帯型の電話端末のユーザが、圏外などの不通状態に不安を持つ原因となっている。例えば携帯電話のユーザが、病院や電車内で発呼しないマナーは広まりつつあるものの、着信が気になるため電源を切るケースは少なく、また、着信があったときに、これに応答しないマナーに関しては殆どないに等しい状況である。このため、ユーザが安心して電源を切れる仕組み作りが急務となっている。
【００１０】
また、発信を行ったユーザ（以下、発ユーザという）にとっても、着ユーザが留守番電話サービスを利用していない場合には用件を伝えられるまで、何度も発信を繰り返さなければならない状況となっている。
【００１１】
また、移動体通信の事業者は、サービスエリアの拡大のために莫大な投資をして過当競争が行われている。これは、圏外における端末ユーザの心理が一つの原因である。そのため、発呼に関しては数分後でも良いと考えても、着信は逃したくないと言うユーザの要求に対して、エリア拡大以外の方法でもサポートする手段が求められている。
【００１２】
この発明は、以上のような問題および要求にかんがみ、特に、失敗をした呼設定の履歴をもユーザが完全に把握できるようにする仕組みを提供することを目的とするものである。
【００１３】
【課題を解決するための手段】
上記課題を解決するため、請求項１の発明による電話の加入者管理装置は、
端末への発呼要求があった旨を表す着信履歴情報および、該発呼要求があった場合に、該端末が有効状態か無効状態かを識別する識別子を該端末の識別情報と関連づけて記憶する記憶部と、
該端末が無効状態から有効状態になった場合に、あるいは、該端末からの着信履歴情報の提供要求時に、該端末から該端末を識別する識別情報を受信する受信部と、
前記受信部で受信された前記識別情報に関連する前記着信履歴情報および前記識別子を前記記憶部から取得する取得部と、
前記取得部により取得された前記着信履歴情報および前記識別子を該端末へ送信する送信部と、
を備える。
【００１６】
また、請求項２の発明による電話の加入者管理装置は、
請求項１において、
前記取得部は、最新の履歴情報から順に新しいもののうち、所定件数の前記着信履歴情報および前記識別子を取得する。
【００２０】
また、請求項４の発明による加入者管理装置は、
前記着端末が無効で、着信が失敗したことを前記発端末に通知する際、前記着端末が有効になったときに前記着端末のユーザが前記発端末からの着信を知ることができる旨の情報を、前記発端末に通知する手段を有する。
【００２１】
この請求項４の発明によれば、発呼を行ったユーザは、自分の発呼に対する着信は着端末が圏外や電源オフのために失敗したが、着端末が有効になったときには、その着端末のユーザに自分の行った発呼の着信が知らされることを認識することができる。
【００２２】
例えば、音声アナウンスで、「着ユーザが応答しなかったが、あなたからの着信があったことを、着端末が有効になったときに伝えます」と言う内容を発ユーザに通知することで、折り返しの電話を待つなどの手段が選択可能となり、発ユーザにとっても、無駄な発呼を繰り返す必要がなくなるなど、便利なシステムとなる。
【００２６】
【発明の実施の形態】
以下、図を参照しながら、この発明による着信履歴情報の管理方法および装置、システムの一実施形態を、着端末の電話端末が、例えば携帯電話端末やＰＨＳ（Ｐｅｒｓｏｎａｌ  Ｈａｎｄｙｐｈｏｎ  Ｓｙｓｔｅｍ）などの無線電話端末である場合について説明する。
【００２７】
［通信システムの概要］
図１は、この実施の形態の着信履歴情報の管理方法が適用される通信システムの全体の構成例を示す図である。この実施の形態の通信システムは、固定電話端末１０１と、交換機１０２と、通信網１０３と、無線交換機１０４と、無線基地局１０５と、加入者管理装置１０６と、無線電話端末１０７で構成されている。
【００２８】
図１において、交換機１０２、通信網１０３、無線交換機１０４、無線基地局１０５は、固定電話端末１０１と、無線電話端末１０７との間に通信ネットワーク（電話通信ネットワーク；有線回線部分および無線回線部分を含む）を形成するためのものである。
【００２９】
固定電話端末１０１は、有線の電話網に接続される電話端末である。この実施の形態では、この固定電話端末１０１は、電話番号や必要なメッセージを表示するための例えばＬＣＤ（Ｌｉｑｕｉｄ  Ｃｒｙｓｔａｌ  Ｄｉｓｐｌａｙ；液晶ディスプレイ）からなる表示部を備えている。
【００３０】
交換機１０２は、有線の電話網用の交換機である。通信網１０３は、有線の電話網と、無線の電話網の両方を含むものである。無線交換機１０４は、無線の電話網用の交換機である。無線基地局１０５は、無線電話端末１０７と無線交換機１０４との間の通信の中継をするためのものである。加入者管理装置１０６は無線通信装置１０７のユーザである加入者に関する情報を管理して必要な処理を行うものである。
【００３１】
［加入者管理装置について］
図２は、加入者管理装置１０６の構成例を示すもので、加入者管理装置１０６のサーバー機能を実現するための構成の概要を示すものである。この場合、通信網１０３は、他の事業者との接続や、異なる種類のネットワークの接続のために用いられる概念であり、この実施の形態においては、固定電話端末１０１と接続されている交換機１０２と、無線電話端末１０７と接続される無線交換機１０４の間にある中継局や、インターワーキング装置、または交換機などを統合的に示している。
【００３２】
図２に示すように、通信網１０３には、無線交換機１０４が複数接続されており、加入者管理装置１０６は、ネットワークインタフェース１１１を通じて無線交換機１０４に接続されている。
【００３３】
加入者管理装置１０６においては、ネットワークインターフェース１１１には、加入者情報制御装置１１２が接続されている。加入者情報制御装置１１２は、加入者の位置登録制御や後述する着信履歴情報の管理などを行う。加入者情報制御装置１１２には、操作端末１１３と、加入者情報記憶装置１１４と、処理履歴記憶装置１１５と、メッセージ記憶装置１１６とが接続されており、加入者情報制御装置１１２が、記憶装置１１４〜１１６を制御している。
【００３４】
操作端末１１３は、加入者制御装置１１２を操作するためのものである。加入者情報記憶装置１１４は、加入者ＩＤ（加入者識別情報）、加入者端末の現在位置の情報や、後述する着信履歴や発信履歴などを加入者毎に記憶する。
【００３５】
処理履歴記憶装置１１５は、加入者情報制御装置１１２がどのような制御を行ったかを記録しておき、問題発生時に解析したり、加入者情報記憶装置１１２が故障したとき復旧する際に使用する。
【００３６】
メッセージ記憶装置１１６は、留守番電話サービスで音声メッセージを記憶したり、録音アナウンスを再生したりする時の情報を記憶している。
【００３７】
加入者管理装置１０６は、この実施の形態では、無線電話端末１０７での電話通信が無効の状態、すなわち、例えば無線電話端末１０７が電源オフの状態であるときや、無線基地局１０５からの電波の届かない場所にあるとき（いわゆる圏外であるとき）に、その無線電話端末１０７宛の着信があった場合に、その着信の履歴を処理履歴記憶装置１１５に記憶しておき、無線電話端末１０７が電源オンにされたり、無線基地局１０５からの電波の届く位置に移動したりして、無線電話端末１０７が電話通信が可能な有効の状態になったときに、無効状態における着信の履歴を通知する機能を備える。
【００３８】
この場合、無線電話端末が有効な状態になったことは、電源オンや通信可能位置に移動して通信可能になった後の位置登録要求の到来により、加入者管理装置１０６では認識することができる。
【００３９】
また、無線電話端末が有効になったとき、その旨をメッセージとして交換機側に送出するシステムの場合には、その有効になったことを示すメッセージの受信により、無線電話端末の有効状態を加入者管理装置が確認することもできる。このようなメッセージの例として、モビリティマネジメントメッセージなどがある。
【００４０】
また、この例では、加入者管理装置側で、無線電話端末の有効状態を確認して、その無効状態での着信履歴を通知するようにする場合だけではなく、無線電話端末からの着信履歴の明示の要求があったときにも、加入者管理装置１０６は、その要求に対する応答メッセージに着信履歴情報を含めて、要求してきた無線電話端末に送信することができるように構成されている。なお、着信履歴の明示の要求ではないが、無線電話端末からの位置登録要求を、着信履歴の要求と判断して、加入者管理装置１０６が、その要求に対する応答メッセージに着信履歴情報を含めて、要求してきた無線電話端末に送信することができるように構成することもできる。
【００４１】
この加入者管理装置からの無線電話端末への着信の履歴の通知に際し、無線電話端末が無効状態における着信に対応して、メッセージ記憶手段１１６に留守録メッセージが記憶されているときには、加入者管理装置１０６は、その留守録メッセージの有無の情報も一緒に無線電話端末に通知する。このため、加入者管理装置１０６の記憶部には、この留守録メッセージの有無の情報も、各着信に対応して記憶されている。
【００４２】
また、加入者管理装置１０６は、無効状態にある無線電話端末１０７に発呼を行った電話端末側（固定電話端末と無線電話端末とのどちらでも良い）には、「着端末が有効になったら、着端末のユーザに着信があったことを知らせる」ことを内容とする通知を行うようにする。
【００４３】
［無線電話端末について］
図３は無線電話端末１０７の一例の構成を示すブロック図である。
【００４４】
まず、無線電話端末１０７の受信系について説明する。アンテナ２０１を通じて受信された受信信号は、アンテナ共用器２０２を通じて受信ＲＦ（ＲａｄｉｏＦｒｅｑｕｅｎｃｙ）部２０３に供給される。受信ＲＦ部２０３は、これに供給された受信信号が適正なレベルになるように、必要な帯域制限、ＡＧＣ（Ａｕｔｏｍａｔｉｃ  Ｇａｉｎ  Ｃｏｎｔｒｏｌ；自動利得制御）などの処理を行い、処理後の信号をミキサ２０４に供給する。
【００４５】
ミキサ２０４は、受信信号の受信周波数を一定の周波数に変換するために、周波数を制御された局発部２１１からの信号と受信ＲＦ部２０３からの出力信号とを混合する。ミキサ２０４からの出力信号は、受信ＩＦ（Ｉｎｔｅｒｍｅｄｉａｔｅ  Ｆｒｅｑｕｅｎｃｙ；中間周波数）部２０５に供給される。受信ＩＦ部２０５は、これに供給された信号をＡ／Ｄ変換し、一定のビットレートを持つＩＱデジタルデータを形成する。このＩＱデジタルデータは、受信レベル検出部２５０を通じて受信復調部２０６に供給される。
【００４６】
受信レベル検出部２５０では、受信レベルから受信電界強度を検出する。すなわち、無線基地局１０５からの現在の受信電波状態を検出する。そして、受信レベル検出部２５０は、その受信電波状態の情報を、後述するコントロール部２２０のＣＰＵ２２１が制御可能な値に変換して、前記コントロール部２２０に供給する。
【００４７】
コントロール部２２０では、この受信電波の状態の情報から、そのときの電波受信状態が安定であるか、また、通信不能な圏外になっているかなどを判定する。そして、その判定結果をディスプレイ２３８に表示するなどの制御処理を行う。
【００４８】
受信復調部２０６は、これに供給されたＩＱデジタルデータについて、フェージングなどの影響除去や、受信した信号の種別判別、デ・インターリーブ、エラー訂正を行い、適切な復号処理を行って、音声データとその他の通信データとを分離する。分離された音声データは、音声復号部２０７に供給され、その他の通信データは、通信データ復号部２１０に供給される。
【００４９】
音声データは、通常圧縮されてバーストごとのブロックで送られてくるため、音声復号部２０７は、これに供給された音声データを伸張してデコードしてから、音声のサンプリングレートにしたがってＤ／Ａ変換する。この後、Ｄ／Ａ変換されたアナログ音声信号はスピーカアンプ２０８にて電力増幅されてスピーカ２０９に供給され、このスピーカ２０９からアナログ音声信号に応じた音声が放音される。
【００５０】
一方、パケットデータなどの通信データ復号部２１０に供給された通信データは、ここで最終的な元のデータに戻される。この復号された通信データは、例えば、コントロール部２２０のＣＰＵバス２２５を経由して、外部インタフェース（図３においては、外部Ｉ／Ｆと記載）２３３を介してパーソナルコンピュータなどの外部装置などに送信される。
【００５１】
次に、送信系について説明する。マイクロホン２１８は、集音した音声をアナログ音声信号に変換し、これをマイクアンプ２１７に供給する。マイクロホン２１８の出力は小さいので、マイクアンプ２１７は、これに供給されたアナログ音声信号を必要な電圧にまで増幅する。増幅されたアナログ音声信号は音声符号化部２１６に供給される。
【００５２】
音声符号化部２１６は、これに供給されたアナログ音声信号を適当なサンプリングレートで、まずＡ／Ｄ変換し、アナログ音声信号をデジタル化する。そして、音声符号化部２１６は、デジタル化した音声信号を所定の符号化方式で符号化して圧縮し、送信ＲＦ信号におけるバースト信号に適合するブロックにまとめる。
【００５３】
一方、外部Ｉ／Ｆ２４３を通じてパーソナルコンピュータなどの外部装置から入力されたデジタルデータは通信データ符号化部２１９において適当なブロックにまとめられる。音声符号化部２１６と音声データ符号化部２１９からのデータは送信変調部２１５でまとめられ、一定のデータレートを持つＩＱデジタルデータにされる。
【００５４】
このＩＱデジタルデータは、送信ＩＦ（Ｉｎｔｅｒｍｅｄｉａｔｅ  Ｆｒｅｑｕｅｎｃｙ；中間周波数）部２１４にてＤ／Ａ変換され、アナログ変調信号に変換された後、所望の送信周波数に変換するために、局発部２１１から変換用の信号とミキサ２１３で混合される。所望の周波数に変換された信号は必要な送信電力にするために送信ＲＦ部２１２にて電力増幅され、共用器２０２を経由してアンテナ２０１から放射（送信）される。
【００５５】
コントロール部２２０は、この実施の形態の無線電話端末１０７の各部を制御するためのもので、ＣＰＵ２２１、ＲＯＭ２２２、ＲＡＭ２２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２２４が、ＣＰＵバス２２５を通じて接続されることにより構成される。
【００５６】
ここで、ＲＯＭ２２２は、ＣＰＵ２２１において実行されるプログラムや、表示用のフォント等の必要となるデータが予め記憶されたものである。また、ＲＡＭ２２３は、主に作業領域として用いられるものであり、ＣＰＵ２２１がプログラム実行中において、必要に応じて計算途中のデータなどを記憶したり、コントロール部２２０と各部との間でやり取りするデータを一時記憶したりする場合などに用いられる。
【００５７】
ＥＥＰＲＯＭ２２４は、無線電話端末１０７の電源がオフされても例えば直前の設定条件などを記憶しておき、次の電源オン時に同じ設定にするような使用方法をする場合に、それらの設定パラメータを記憶しておくためのものである。このＥＥＰＲＯＭ２２４は、この実施の形態においては、後述するような着信履歴情報などを記憶しておくためにも使用される。ＥＥＰＲＯＭ２２４は、無線電話端末１０７の電源がオフにされてもこれに記憶されているデータが消滅してしまうことの無い不揮発性メモリである。
【００５８】
また、図３に示すように、この実施の形態の無線電話端末１０７は、キーインタフェース（キーＩ／Ｆ）２３１、外部インタフェース（外部Ｉ／Ｆ）２３３、カードインタフェース（カードＩＦ）２３４、ディスプレイインタフェース（ＬＣＤ  Ｉ／Ｆ）２３７を備えている。
【００５９】
外部Ｉ／Ｆは、無線電話端末１０７と、外部装置とを接続するためのものである。キーＩ／Ｆ２３１は、キー操作部２３２と、コントロール部２２０とを接続するためのものである。キー操作部２３２は、テンキー、オフフックキー、オンフックキー、各種のファンクションキーなどが設けられたユーザインタフェースである。
【００６０】
カードＩ／Ｆ２３４には、カードドライブ２３５が接続されている。カードドライブ２３５は、これに装填されるユーザＩＤカード（ＳＩＭカード）２３６に記憶されているユーザＩＤ、電話番号などのユーザの個人情報を読み出して、読み出した情報をカードＩ／Ｆ２３４を通じてコントロール部２２０に供給したり、その逆にコントロール部２２０から、カードＩ／Ｆ２３４を通じて、ＳＩＭカード２３６に情報を書き込むことができる。
【００６１】
ディスプレイＩ／Ｆ２３７には、ＬＣＤなどのディスプレイ２３８が接続される。コントロール部２２０からの表示データは、ディスプレイＩ／Ｆ２３７を通じて、ディスプレイ２３８に供給される。
【００６２】
この実施の形態において、着信履歴情報の表示や受信電波の状態の表示、つまり、電波の強度や圏外表示などは、このディスプレイ２３８を通して行う。
【００６３】
受信電波の強度、つまり受信レベルは、受信レベル検出部２５０で検出した値をＣＰＵ２２１の制御によりＲＡＭ２２３に記憶させる。その記憶した受信レベルに基づいて、ＣＰＵ２２０は、受信状態の表示をディスプレイ２３８に行う。この受信レベルの監視は、電源オンの状態は、ほぼ常時行っている。
【００６４】
また、この実施の形態では、着信や警告、または着信履歴情報を受信したことを無線電話端末１０７のユーザに音声で通知するためのリンガ２４１と、振動で通知するためのバイブレータ２４２と、着信を通知したり、あるいは証明として使用するＬＥＤ２４３とが、ＣＰＵバス２２５に接続され、コントロール部２２０により制御するように構成されている。
【００６５】
なお、この実施の形態の無線電話端末においては、マイクロホン２１８からの音声信号を、音声符号化部２１６から音声復号部２０７へ戻すようにしている。これにより、マイクロホン２１８からの音声信号は、受信した相手の音声信号に混合され、音声復号部２０７のＤ／Ａ変換器でアナログ音声信号に変換され、スピーカ２０９から放音するようにしている。つまり、話者の音声の一部をスピーカ２０９から聞こえるようにしている。
【００６６】
これは、トーカーサイドトーン（Ｔａｌｋｅｒ  Ｓｉｄｅ  Ｔｏｎｅ）と呼ばれ、無線電話端末の受話部で耳を覆うことにより、話者自信の声が聞こえにくくなり、それを話者自信が無意識に補正しようとして声が大きくなることを防止あるいは緩和するためである。
【００６７】
そして、この例の無線電話端末１０７は、位置登録要求をしたとき、その要求に対する応答メッセージ中に着信履歴があるかどうかを監視して、着信履歴があればそれを抽出して、ＥＥＰＲＯＭ２２４の着信履歴に追加更新する機能を備える。
【００６８】
また、特定の操作を加入者管理装置１０６への着信履歴要求であるとして、その着信履歴要求メッセージを送出する機能と、その応答情報に含まれる着信履歴情報を抽出し、そのうちの未だ自端末に記憶していない着信履歴を、ＥＥＰＲＯＭ２２４の着信履歴に追加更新する機能を備える。
【００６９】
図４は、ＥＥＰＲＯＭ２２４に記憶される着信履歴情報のテーブルの例を示すものである。この着信履歴情報は、無線電話端末１０７が無効の状態のときだけでなく、通常の無線電話端末１０７と同様に有効の状態のときに受けた着信の情報（着信応答したものも含まれる）も含むものである。このため、図４の例の着信履歴情報のテーブルにおいては、通常のように、自分の端末で受けた着信の履歴と、後述する加入者管理装置１０６から通知される自分の端末が無効状態における着信の履歴とを区別できるようにされている。
【００７０】
すなわち、この例の着信履歴情報のテーブルは、図４に示すように、個々の着信を識別するための番号などからなる呼ＩＤと、着信の日時と、着信をしてきた相手の電話番号（発信者の電話番号）と、留守録メッセージが加入者管理装置１０６に記憶されているか否かのフラグＦＬＧａと、それぞれの着信が、無線電話端末１０７が無効の状態の着信である否かのフラグＦＬＧｂとを少なくとも含む。
【００７１】
図４の例では、フラグＦＬＧａ＝“０”は、留守録メッセージなし、フラグＦＬＧａ＝“１”は、留守録メッセージ有りを示している。また、フラグＦＬＧｂ＝“０”は有効状態における着信を示し、また、フラグＦＬＧｂ＝“１”は有効状態における着信を示している。
【００７２】
［加入者管理装置の動作］
図５は、加入者管理装置１０６の動作を説明するためのフローチャートである。以下に説明する処理動作は、主として、加入者情報制御装置１１２の制御の下に行われる。なお、加入者管理装置１０６では、無線交換機１０４から受信した制御メッセージに応じた処理が行われる。
【００７３】
まず、加入者管理装置１０６では、無線交換機１０４から受信した制御メッセージを判定する（ステップＳ１０１）。この判定の結果、発呼に基づく呼設定のための加入者情報要求のメッセージを受信したと判断した場合には、加入者情報記憶装置１１４に記憶してある加入者ＩＤと、加入者が位置登録要求をしたときに記憶した位置情報とを、加入者情報応答メッセージとして無線交換機１０４に送信する（ステップＳ１０２）。この処理は、加入者管理装置１０６が管理している無線電話端末のユーザ宛に着信があった場合に行われる。
【００７４】
そして、加入者管理装置１０６は、この呼設定の結果を示す呼設定完了通知メッセージを無線交換機１０４から受信し（ステップＳ１０３）、その呼設定完了通知メッセージを解析して、着ユーザの応答状況を判定する（ステップＳ１０４）。着ユーザが応答をしたと判定したときには、受信した制御メッセージについての処理を終了し、ステップＳ１０１に戻り、次の制御メッセージについての処理を行う。
【００７５】
ステップＳ１０４での判定の結果、着信端末が応答しなかったと判断した場合には、加入者情報記憶装置１１４に記憶されているその着信端末のユーザの契約条件や設定条件を参照して留守番電話サービスに加入しているか否か判定する（ステップＳ１０５）。そして、留守番電話サービスに加入している場合には、留守番電話処理が開始され、発ユーザの希望によりメッセージを録音するなどの処理を行う（ステップＳ１０６）。そして、その着ユーザについての着信の履歴を加入者情報記憶装置１１４に書き込んで、着信履歴情報の更新を行う（ステップＳ１０７）。その着信履歴情報には、留守録メッセージの有無の情報も含むものである。
【００７６】
この着信履歴情報は、前述の図４を用いて説明した着信履歴情報テーブルへの書き込みである。なお、着信履歴情報テーブルは、加入者情報記憶装置１１４に、各加入者毎に設けられるのはいうまでもない。
【００７７】
なお、ステップＳ１０４での着ユーザ応答状況の判定のとき、着信端末が応答しつつ（リンガー鳴動および／またはバイブレータが動作）、着信端末のユーザが無視して応答しなかった場合には、着信端末応答と判定する。これは、呼設定完了通知メッセージを判定することで判別可能である。すなわち、ステップＳ１０４での判定においては、あくまでも着信端末が着信を受け付けることに成功したかどうかを判断する意昧で、応答したかどうかを判断するものである。
【００７８】
このようにするのは、着信端末が応答しつつ、着信端末のユーザが無視して応答しなかった場合には、着信端末で着信履歴を記憶することが可能であるので、その場合には、上述のステップＳ１０５〜ステップＳ１０７の処理は行う必要がないからである。
【００７９】
ステップＳ１０７での着信履歴情報の更新が終了したら、発ユーザに対して、「着信履歴が保存され、着ユーザの端末が有効になった時に着信があったことを通知する」ことをアナウンスする（ステップＳ１０８）。すなわち、例えば、「着ユーザが応答しなかったが、あなたからの着信が有ったことを着信端末が有効になったときに伝えます」という内容の音声メッセージを発ユーザの端末に送信する。
【００８０】
これにより、発ユーザは、着ユーザに自分からの着信が確実に知らされることを知ることができるので、無駄なリダイヤル操作をする必要がなくなる。
【００８１】
次に、ステップＳ１０１での無線交換機１０４から受信した制御メッセージの判定の結果、それが位置登録要求であったときには、その登録要求をしてきた加入者の無線電話端末についての位置情報の更新処理などを行う（ステップＳ１１０）。
【００８２】
そして、その後、位置登録要求メッセージに含まれるユーザＩＤを参照して、このユーザ宛に通知すべき着信履歴情報があるかどうかを判断する（ステップＳ１１１）。前述したように、着信履歴情報としてステップＳ１０７において記憶されるのは、無線電話端末が電源がオフである状態や圏外にあった状態、つまり無線電話端末の無効状態における着信の履歴であり、ユーザが気がついていない着信の履歴であるので、この実施の形態では、記憶されている着信履歴情報のうちの、未だ、当該ユーザに通知していない着信履歴の情報である。
【００８３】
そして、ステップＳ１１１で、ユーザが気がついていないと考えられる着信履歴が記憶されていると判別された場合には、位置登録応答メッセージに、その着信履歴情報を含めて送信する（ステップＳ１１２）。
【００８４】
この場合、位置登録応答メッセージに含める着信履歴情報としては、要求された時点において最新の着信履歴情報から順に新しいもののうち、例えば予め定められた所定件数の着信の履歴とするようにする。このとき、一度も、ユーザに通知していない着信履歴の情報には、他と区別できる識別子を付加するようにするとよい。
【００８５】
また、ステップＳ１０７で更新されて、一度も、ユーザに通知していない着信履歴の情報のみを、着信履歴情報として位置登録応答メッセージに含めるようにしても良い。
【００８６】
ステップＳ１１１で、位置登録要求をしてきたユーザに通知すべき着信履歴情報が無いと判別したときには、着信履歴情報を含めずに、位置登録応答メッセージのみを、要求してきた無線電話端末に送信する（ステップＳ１１３）。
【００８７】
図６は、位置登録応答メッセージのデータ構成の一例である。図６の例は、ステップＳ１１２で送信される位置登録応答メッセージの場合である。
【００８８】
図６において、先頭のフィールド８０１は、メッセージ名を示すためのフィールドで、この場合は位置登録応答メッセージのメッセージＩＤが設定される。２番目のフィールド８０２は、メッセージの長さを示すために設定される。３番目のフィールド８０３は、情報要素識別子であり、位置登録処理の対象となるユーザＩＤが次のフィールド８０４に設定されていることを示している。４番目のフィールド８０４には、ユーザＩＤが記述される。
【００８９】
５番目のフィールド８０５は情報要素識別子であり、次のフィールド８０６に位置番号が設定されていることを示している。フィールド８０６には、位置番号が記述される。
【００９０】
７番目のフィールド８０７は情報要素識別子であり、次のフィールド８０８に着信履歴情報が設定されていることを示している。フィールド８０８には、着信履歴情報が記述される。この着信履歴情報には、留守録メッセージの有無が含まれる。
【００９１】
ステップＳ１１３で送信される位置登録応答メッセージには、着信履歴情報のフィールド８０８は設定されない。この場合には、フィールド８０８だけでなく、情報要素識別子８０７も含めて省略される。
【００９２】
なお、着信履歴情報のフィールド８０８が設定されている場合には、フィールド８０２のメッセージ長を参照して、何回着信があったかを判断することができる。すなわち、図６に示すように、フィールド８０８には、着信回数分の情報が設定されているからである。
【００９３】
ステップＳ１１２およびステップＳ１１３で、位置登録応答メッセージを、要求してきた端末へ送信した後には、ステップＳ１０１に戻り、次の制御メッセージについての処理を行う。
【００９４】
無線電話端末では、電源がオフである状態や圏外にあった状態、つまり無線電話端末の無効状態から、電源がオンになったときや通信が可能な地域に移動したときには、必ず、無線基地局１０５を通じて位置登録要求を行う。上述したように、この実施の形態では、加入者管理装置１０６は、ユーザから位置登録要求があったときには、ユーザが気がついていないと考えられる着信履歴の情報を、その位置登録応答メッセージに含めて、当該ユーザに送るようにするので、ユーザには、確実に端末が通信無効の状態における着信が知らされることになる。
【００９５】
次に、ステップＳ１０１での無線交換機１０４から受信した制御メッセージの判定の結果、それが着信履歴要求メッセージであると判定したときには、ステップＳ１０７で更新した着信履歴情報を含む着信履歴応答メッセージを、着信履歴要求メッセージを出した無線電話端末１０７に宛てて送信する（ステップＳ１０９）。
【００９６】
この着信履歴要求メッセージは、電源がオフであった、あるいは着ユーザが圏外にいたなどの通信状態が無効の状態であった無線電話端末が、電源オンにされる、着ユーザが通信可能エリアに移動したなど、通信が可能となる有効な状態になったとき、無線電話端末のユーザが、通信不能中に着信があったかどうかを確認するために、着信履歴の要求操作を行うことにより発生する。
【００９７】
着信履歴応答メッセージには、要求された時点において最新の着信履歴情報から順に新しいもののうち、例えば予め定められた所定件数の着信の履歴を含めるようにする。このときも、一度も、ユーザに通知していない着信履歴の情報には、他と区別できる識別子を付加するようにするとよい。
【００９８】
また、上述と同様に、ステップＳ１０７で更新されて、一度も、ユーザに通知していない着信履歴の情報のみを、着信履歴応答メッセージに含めるようにしても良い。
【００９９】
なお、加入者管理装置１０６で、各加入者についての全ての着信の履歴を記憶すると共に、それぞれの着信のうち、無線電話端末が無効状態であるために着信応答できなかった着信には他と区別する識別子を付加して記憶しておき、位置登録要求があったとき、その位置登録応答メッセージに含めて、あるいは、着信履歴要求があったときに、その要求応答メッセージに含めて、それぞれ要求をしてきた無線電話端末に送信するようにすることもできる。
【０１００】
また、着信履歴情報は、着信履歴要求メッセージの応答メッセージや位置登録要求の応答メッセージに含めて送る必要はなく、着履歴要求メッセージや位置登録メッセージの応答メッセージに続いて、別個に、着信履歴情報を要求してきた端末に送信するようにしてもよい。
【０１０１】
［無線電話端末の動作］
図７は、無線電話端末１０７の制御動作を示したフローチャートである。以下に説明する処理動作は、主として、ＣＰＵ２２１の制御の下に行われる。
【０１０２】
ユーザが無線電話端末の電源をオンにすると、その電源投入をＣＰＵ２２は認識し（ステップＳ２０１）、無線電話端末の初期化処理を行う（ステップＳ２０２）。そして、現在位置の周辺の無線基地局１０５の検索を開始する（ステップＳ２０３）。この周辺基地局の検索が完了すると、自端末の位置を加入者管理装置に登録するために位置登録メッセージを送信する（ステップＳ２０４）。
【０１０３】
この位置登録メッセージに対しては、加入者管理装置１０６から上述したような位置登録応答メッセージが帰ってくるので、この位置登録応答メッセージを待ち（ステップＳ２０５）、位置登録応答メッセージを受信したら、メッセージ内の情報要素を解析して、図６に示したフィールド８０７および着信履歴情報のフィールド８０８が含まれているかどうか、すなわち、電源オフ時や圏外のときに着信があったかどうかを判定する（ステップＳ２０６）。
【０１０４】
ステップＳ２０６で、電源オフ時や圏外のときに着信があったと判定した場合には、着信履歴情報に含まれる呼ＩＤ（図４参照）を参照して、自端末に管理されていない着信情報を、自端末のメモリに記憶する着信履歴情報として、そのメモリ（ＥＥＰＲＯＭ２２４）に追加記憶し、自端末の着信履歴情報を更新する（ステップＳ２０７）。
【０１０５】
このとき、着信履歴情報中の各着信についての無効着信フラグＦＬＧｂは“１”にして記憶し、また、留守録メッセージフラグＦＬＧａも、受信した着信履歴情報中の各着信を判定して、“０”または“１”を記憶する。
【０１０６】
そして、端末のユーザに、無効状態に着信があったことを通知する（ステップＳ２０８）。この通知の方法としては、以下のような方法を用いることができる。
【０１０７】
▲１▼ディスプレイ２３８の画面に着信有りを表示する。このとき、端末が無効状態のときの着信であることをユーザに知らしめるため、通常の着信有り表示（端末は有効状態であったが着信の呼びに応答しなかったとき着信についての表示）とは異なる表示をする。
【０１０８】
例えば、通常の着信有り表示では図８（Ａ）に示すように、単に「着信有り」と表示する場合、無効状態のときの着信の表示は、図８（Ｂ）に示すように、「無効時着信有り」と表示する。また、図８（Ｃ）に示すように、単に「着信有り」と表示すると共に、圏外マーク３０１を付加表示するようにしてもよい。
【０１０９】
また、留守録メッセージが存在している着信のときには、図８（Ｂ）および図８（Ｃ）の場合において、さらに、その旨を示す「伝言有」の表示３０２を付加表示するようにして、そのことをユーザに知らせることができる。
【０１１０】
▲２▼着信通知と同様に、リンガを鳴らしたり、バイブレータ２４２を駆動する。この場合には、図８（Ａ）の着信有り表示をディスプレイ２２８に表示することで、そのときの着信ではなく、過去の着信であることを知らすようにすると良い。また、前記▲１▼の表示と併用するようにしてもよい。
【０１１１】
▲３▼ＬＥＤ２４３を点滅する。この方法の場合も、図８（Ａ）〜図８（Ｃ）の表示と併用するようにすると、無効状態でも着信の存在を容易に認識することができる。また、前記▲２▼の方法や、次の▲４▼の方法を併用するようにしても良い。
【０１１２】
▲４▼音声メッセージにより、「オフ時に着信がありました」などの出力する。この方法の場合も、図８（Ａ）〜図８（Ｃ）の表示と併用するようにすると、無効状態でも着信の存在を容易に認識することができる。また、前記▲２▼の方法や、次の▲３▼の方法を併用するようにしても良い。
【０１１３】
また、前記▲１▼〜▲４▼のいずれか一つでも良いし、▲１▼〜▲４▼のうちの複数個の通知方法を併用するようにしてよい。
【０１１４】
また、この実施の形態の無線電話端末１０７では、従来の端末と同様に、所定の操作を行うことにより、ＥＥＰＲＯＭ２２４に記憶している着信履歴の情報を、新しい着信を優先して過去の着信を順次に読み出して確認表示することができる。
【０１１５】
このとき、各着信の情報には、単に応答しなかった着信と、圏外や電源オフ時の無効状態のときの着信とを区別するために、圏外や電源オフ時の着信には、圏外マーク３０３を付加表示する。また、発ユーザからの留守録メッセージがある着信の場合には、その旨を示す「伝言有」の表示３０４を付加表示するようにする。この実施の形態の場合には、記憶されている各着信の履歴には、フラグＦＬＧａおよびＦＬＧｂが付加されているので、ＣＰＵ２２１は、そのフラグＦＬＧａおよびＦＬＧｂを参照して、これらの圏外マーク３０３および「伝言有」の表示３０４を付加表示するかどうかを制御するようにする。
【０１１６】
なお、留守録メッセージを聞くには、そのサービス用の番号の発呼をすることにより、加入者管理装置から留守録メッセージ情報が送られてくるので、それを無線電話端末１０７で聴取することでできる。
【０１１７】
次に、無線の電波の状態と、電源の状態を調べ（ステップＳ２０９）、電源がオフとなれば、最初のステップＳ２０１に戻る。無線状態、つまり、基地局１０５との間での電波の受信状態が安定していれば、特に処理は行わず、その状態を維持する。
【０１１８】
そして、ステップＳ２０９で、電波の受信状態が悪化して、圏外となった場合には、ステップＳ２０３に戻り、他の基地局１０５の検索を開始して、通信可能状態に復帰するまで、検索処理が継続される。そして、その後は、以上の処理を繰り返す。
【０１１９】
なお、図７のフローチャートでは省略したが、無線電話端末１０７には、着信履歴情報要求ボタンが備えられており、そのボタンを操作することにより、着信履歴情報要求を任意の時点で行うことができる。着信履歴情報要求ボタンを設けずに、特定の１〜複数個の数字キーや記号キーの操作を行うことが着信履歴情報要求とするようにすることもできる。
【０１２０】
［着信履歴通知に関するシーケンスの一例］
図１０は、着信履歴通知に関するシーケンスチャートの例を示すもので、この例は、発端末が固定電話端末１０１であり、また、着端末が無線電話端末１０７であり、最初、無線電話端末１０７の電源がオフであるときに発端末１０１からの着信があり、その後、無線電話端末１０７の電源がオンとされた場合のシーケンスである。この例の場合、無線電話端末１０７は、留守番電話サービスに加入しているものとしている。
【０１２１】
発端末１０１から発信が要求されると、発呼要求メッセージが交換機１０２に送信され、通信網を経由して着ユーザと通信可能な無線交換機１０４に着信要求が送信される。
【０１２２】
無線交換機１０４は発番号（着端末の電話番号）を含む加入者要求情報を加入者管理装置１０６に送信する。加入者管理装置１０６は、この発番号から、着ユーザの加入者契約番号と、着ユーザの滞在位置を含む加入者応答情報を無線交換機１０４に通知する。これにより、無線交換機１０４は、どの基地局に対してメッセージを送信したら良いのかを判断可能となる。そして、無線交換機１０４は、判定した基地局１０５に対して着信通知メッセージを送信する。すると、基地局１０５は、この着信通知を、電波で着端末１０７に送信する。
【０１２３】
しかし、この例の場合には、着端末１０７は、電源オフの状態であるので、この着信メッセージを受信することができない。このため、着端末１０７は、着信通知を受信したことを、無線交換機１０５に対して通知することができない。そのため、無線交換機１０５では、着端末１０７が、現在通信ができない無効状態にあると判断して、そのことを示す情報を含む呼設定完了通知を加入者管理装置１０６に送信する。なお、呼設定が成功した場合にも、呼設定完了通知は加入者管理装置１０６に送られるが、そのメッセージ内容が異なることになる。
【０１２４】
加入者管理装置１０６では、この例の場合には、着端末１０７が留守番電話サービスに加入しているとしているので、発端末１０１に対して、留守番電話処理のための留守番電話のアナウンスを行った後、着信履歴情報を更新する。発端末１０１は、この図１０の例では、留守番電話のアナウンスに従ってメッセージを録音した後に、切断処理を行っている。
【０１２５】
その後、電源オフで無効状態であるため着信ができなかった着端末１０７の電源が投入され、通信が可能な状態になると、着端末１０７は位置登録要求メッセージを基地局１０５、無線交換機１０５を通じて加入者管理装置１０６に送信する。すると、加入者管理装置１０６は、この位置登録要求メッセージにより、着端末１０７が通信可能な状態、つまり電話通信が有効な状態になったと判断して、位置登録応答メッセージに着信履歴情報を含ませ、これを無線交換機１０４、基地局１０５を通じて着端末１０７に送信する。
【０１２６】
着端末１０７は、これを受信することで、前述したようにして、電源オフ状態時の着信の状況を把握する。このときの着端末１０７のメモリに記憶される着信履歴情報テーブルは、図４に示したものと同様となる。
【０１２７】
なお、図示は省略したが、その後、着端末１０７から、着信履歴要求を行うと、加入者管理装置１０６は、要求してきた無線電話端末宛の着信履歴として通知すべき着信履歴情報があれば、着信履歴要求に対する応答メッセージに、その着信履歴情報を含めて、要求してきた無線電話端末に通知する。
【０１２８】
［変形例］
以上の実施の形態の説明では、加入者管理装置は、着端末が無効状態であるときにのみの着信履歴を記憶するようにしたが、無効状態の着信のみでなく、有効状態の着信をも履歴として記憶する場合には、着端末が無効状態であるときの着信と、有効状態のときの着信とを区別する識別子を各履歴に付加して記憶するようにする。そして、電話端末が無効状態から有効状態になったときに、また、着信履歴要求が電話端末から到来したときに、無効状態のときの着信履歴のみを選択して、要求してきた電話端末に通知するようにする。
【０１２９】
また、以上の実施の形態の説明では、無線電話端末での着信履歴の情報の読み出しの場合には、新しい着信を優先して過去の着信を順次に全て読み出して確認表示するようにしたが、特定のキー操作を行ったときに、フラグＦＬＧｂが“１”である無効状態の着信のみを、新しい着信を優先して順次に確認表示するようにすることもできる。
【０１３０】
また、以上の実施の形態の説明では、発端末は、固定電話端末であったが、発端末は、無線電話端末であってもよいことはいうまでもない。また、着端末も無線電話端末ではなく、固定電話端末であっても、網の点検整備や通信量増大による通信制限、また家庭電話端末を一時的にオフラインにする場合もあるので、この発明は適用可能である。
【０１３１】
【発明の効果】
以上説明したように、この発明によれば、例えば無線電話端末で、電源オフや、圏外などの通信無効状態時の着信履歴を加入者管理装量で管理しておき、着信端末が通信可能状態になったときに、加入者管理装置で記憶しておいた着信履歴を着信端末に通知するようにしたので、着信端末のユーザは、通信無効状態の着信状況を確実に把握することが可能になる。
【図面の簡単な説明】
【図１】この発明の実施の形態の着信履歴情報の管理方法が適用される通信システムの全体の構成例を示す図である。
【図２】この発明による加入者管理装置の実施の形態のブロック図である。
【図３】この発明による電話端末の実施の形態のブロック図である。
【図４】実施の形態の電話端末に記憶される着信履歴情報テーブルの例を示す図である。
【図５】実施の形態の加入者管理装置の着信履歴管理動作を説明するためのフローチャートである。
【図６】実施の形態で用いられる位置登録応答メッセージの構造例を示す図である。
【図７】実施の形態の電話端末の動作を説明するためのフローチャートである。
【図８】実施の形態の電話端末における着信有り表示の例を示す図である。
【図９】実施の形態の電話端末における着信履歴表示例を示す図である。
【図１０】実施の形態における着信履歴通知シーケンスを示す図である。
【符号の説明】
１０６  加入者管理装置
１０７  無線電話端末
１１２  加入者情報制御装置
１１４  加入者情報記憶装置
１１５  処理履歴記憶装置
１１６  メッセージ記憶装置
２２０  コントロール部
２２１  ＣＰＵ
２２４  ＥＥＰＲＯＭ
２３８  ディスプレイ
【図１】
0004403349.tif 000002
【図２】
0004403349.tif 000003
【図３】
0004403349.tif 000004
【図４】
0004403349.tif 000005
【図５】
0004403349.tif 000006
【図６】
0004403349.tif 000007
【図７】
0004403349.tif 000008
【図８】
0004403349.tif 000009
【図９】
0004403349.tif 000010
【図１０】
0004403349.tif 000011